(57)【要約】【課題】足のアーチ構造の所定のアーチ及びそれを支える靭帯等に押上げ力を作用させることにより土踏まずの形成を促進し、偏平足や浮き指の症状を確実に改善する靴下を提供することを目的とする。【解決手段】本発明に係る靴下Ｓは、足に装着可能な可撓性を有する靴下本体１と、足の骨格における三角形状のアーチ構造Ａ内の所定のアーチを、足裏側から甲側に向かって押し出すことにより、第１中足骨Ｂ１の骨頭から踵骨Ｂ６にかけて形成される甲側凸状の内側縦アーチＡ６を甲側に間接的に押動する、靴下本体１の足裏側に設けた間接押出し構造とを備えたものである。【選択図】図１
2018040103.tif 000002
【特許請求の範囲】
【請求項１】
足に装着可能な可撓性を有する基材と、
足の骨格における三角形状のアーチ構造内の所定のアーチを、足裏側から甲側に向かって押し出すことにより、第１中足骨の骨頭から踵骨にかけて形成される甲側凸状の内側縦アーチを甲側に間接的に押動する、前記基材の足裏側に設けた間接押出し構造とを備える
靴下。
【請求項２】
前記間接押出し構造は、
前記基材の足裏側のうち、前記第１中足骨の骨頭から第５中足骨の骨頭にかけて形成される甲側凸状の横アーチに対応した第１裏面域に設けられると共に、同横アーチを甲側に押動可能な第１構造部を有する
請求項１に記載の靴下。
【請求項３】
前記間接押出し構造は、
前記基材の足裏側のうち、前記第５中足骨の骨頭から踵骨にかけて形成される甲側凸状の外側縦アーチに対応した第２裏面域に設けられると共に、同外側縦アーチを甲側に押動可能な第２構造部を有する
請求項１または請求項２に記載の靴下。
【請求項４】
前記間接押出し構造は、
前記基材の足裏側のうち、前記第１中足骨の骨頭から第１末節骨にかけて形成される第３裏面域に設けられると共に、歩行時の親指への体重の移動を促すことが可能な第３構造部を有する
請求項１、請求項２又は請求項３に記載の靴下。
【請求項５】
前記第１構造部は、
前記第１裏面域から基材外側へ突出する第１凸状部材を有する
請求項２に記載の靴下。
【請求項６】
前記第２構造部は、
前記第２裏面域から基材外側へ突出する第２凸状部材を有する
請求項３に記載の靴下。
【請求項７】
前記第３構造部は、
前記第３裏面域から基材外側へ突出する第３凸状部材を有する
請求項４に記載の靴下。
【請求項８】
前記間接押出し構造は、
前記基材の足裏側のうち、前記第１中足骨の骨頭から第５中足骨の骨頭にかけて形成される甲側凸状の横アーチに対応した第１裏面域に設けられると共に、同横アーチを甲側に押動可能な、前記第１裏面域から基材外側へ突出する第１凸状部材と、
同足裏側のうち、前記第５中足骨の骨頭から踵骨にかけて形成される甲側凸状の外側縦アーチに対応した第２裏面域に設けられると共に、同外側縦アーチを甲側に押動可能な、前記第２裏面域から基材外側へ突出する第２凸状部材とを有する
請求項１に記載の靴下。
【請求項９】
前記間接押出し構造は、
前記基材の足裏側のうち、前記第１中足骨の骨頭から第１末節骨にかけて形成される第３裏面域に設けられると共に、親指への体重の移動を促すことが可能な、同第３裏面域から基材外側へ突出する第３凸状部材を有する
請求項８に記載の靴下。
【請求項１０】
前記第１凸状部材、第２凸状部材及び第３凸状部材は、突出高さが異なる
請求項９に記載の靴下。
【請求項１１】
前記第１凸状部材、第２凸状部材及び第３凸状部材は、単一部材から構成される
請求項９又は請求項１０に記載の靴下。
【請求項１２】
前記第１凸状部材、第２凸状部材及び第３凸状部材の少なくとも一つは、複数の小片別部材から構成される
請求項９、請求項１０又は請求項１１に記載の靴下。
【請求項１３】
前記第１凸状部材、前記第２凸状部材及び前記第３凸状部材が連続して設けられた
請求項９、請求項１０、請求項１１又は請求項１２に記載の靴下。
【請求項１４】
前記第１凸状部材、前記第２凸状部材及び前記第３凸状部材の少なくとも一部は、互いに離間して設けられた複数の凸状片からなる
請求項９、請求項１０、請求項１１、請求項１２又は請求項１３に記載の靴下。
【請求項１５】
前記第１構造部は、
前記第１裏面域に、前記第１中足骨と第５中足骨間を接近させる方向に付勢可能な第１付勢構造を有する
請求項２に記載の靴下。
【請求項１６】
前記第２構造部は、
前記第２裏面域に、第５中足骨と踵骨間を接近させる方向に付勢可能な第２付勢構造を有する
請求項３に記載の靴下。
【請求項１７】
前記第３構造部は、
前記第３裏面域に、親指と前記第１裏面域を接近させる方向に付勢可能な第３付勢構造を有する
請求項４に記載の靴下。
【発明の詳細な説明】
【技術分野】
【０００１】
本発明は靴下に関する。詳しくは、足のアーチ構造の所定のアーチ及びそれを支える靭帯等に押上げ力を作用させることにより土踏まずの形成を促進し、偏平足や浮き指の症状を確実に改善する靴下に関する。
【背景技術】
【０００２】
昨今では、人間が二足歩行をするために必要な「土踏まず」が充分に形成されず、足裏が平らな、いわゆる「偏平足」、あるいは立位時に足の指が地面に付かない「浮き指」の状態である児童が増えていることが問題となっている。
【０００３】
この偏平足や浮き指は、足の骨格におけるアーチ構造が充分に機能しておらず、足裏全体を使って地面をつかむことができないため倒れやすく、また歩く際の衝撃が吸収されず疲れやすさの原因となっていると言われる。
【０００４】
これを改善するため、子供であれば裸足で遊ばせて足裏の靭帯（足底腱膜など）や筋肉を鍛えることで、アーチ構造の自然な形成されることも可能である。しかし、それでも改善が見られない場合には、歩行サポート器具などの装着、あるいは外科的手術によりアーチ構造を強制的に形成させることも行われるが、患者への負担が大きい。
【０００５】
このため、特許文献１に示すように、靴下において、足裏の外側部分に対応する部分を足裏の内側部分（土踏まず）に対応する部分よりも厚く形成することで、強制的に足裏が内側へ傾倒するようにした靴下が考案されている。この靴下を着用することで、足が地面に接地する際、足裏部分が足の外側へ逃げながら床面に接触することを防ぐことができるので、足裏全体を地面に接地させることができる。
【０００６】
更に、一般には、足の土踏まずに凸状のパットを直接当てて、土踏まずに形成されるアーチである内側縦アーチを押し上げる足底板や中敷きも考案されている。そして、この足底板や中敷きにより土踏まずの空間を埋めることで、下がっていたアーチ部分を押し戻して骨格位置を正常化し、「偏平足」や「浮き指」による諸症状を改善することができる。
【先行技術文献】
【特許文献】
【０００７】
【特許文献１】特開２０１７−２４３６公報
【発明の概要】
【発明が解決しようとする課題】
【０００８】
しかしながら、特許文献１に記載する靴下は、足裏部分が足の側外方へ逃げないように床面に接触させるだけであり、内側縦アーチが形成されるように作用するものではない。また、靴下着用時には足裏部分が内側に傾倒するが、非着用時には足裏部分は足の外側へ逃げながら床面に接触することになり、偏平足や浮き指の症状を改善するためにアーチ構造を支える靭帯や筋肉に働きかけるものではなく、依然として偏平足や浮き指の症状が改善することはない。
【０００９】
更に、足の土踏まずに直接当てるパットも、土踏まずの空間を埋めて諸症状を改善するだけであり、内側縦アーチが形成されるように作用するものではない。
【００１０】
本発明は以上の点に鑑みて創案されたものであり、足のアーチ構造の所定のアーチ及びそれを支える靭帯等に押上げ力を作用させることにより土踏まずの形成を促進し、偏平足や浮き指の症状を確実に改善する靴下を提供することを目的とする。
【課題を解決するための手段】
【００１１】
上記課題を解決するために、本発明の靴下は、足に装着可能な可撓性を有する基材と、足の骨格における三角形状のアーチ構造内の所定のアーチを、足裏側から甲側に向かって押し出すことにより、第１中足骨の骨頭から踵骨にかけて形成される甲側凸状の内側縦アーチを甲側に間接的に押動する、前記基材の足裏側に設けた間接押出し構造とを備える。
【００１２】
そして、足に装着可能な可撓性を有する基材によって、足に靴下を適度に密着させて着用することができるので、各着用者の足の甲部分の形状に関わらず、靴下を適切に着用することができる。
【００１３】
更に、足の骨格における三角形状のアーチ構造内の所定のアーチを、足裏側から甲側に向かって押し出すことにより、第１中足骨の骨頭から踵骨にかけて形成される甲側凸状の内側縦アーチを甲側に間接的に押動する、基材の足裏側に設けた間接押出し構造によって、アーチ構造内を構成する骨、靱帯、筋肉等の組織（以下、「アーチ内組織」とする）を介し、土踏まず付近に位置する内側縦アーチ及びそれを支える靭帯や筋肉に、足裏側から甲側に向かって押し出す力（以下、「押上げ力」とする）が作用する。これにより、内側縦アーチを支える靭帯や筋肉が強くかつ柔軟に鍛えられて土踏まずの形成が促進され、偏平足や浮き指の症状を確実に改善することができる。なお、所定のアーチとは、後で詳述する横アーチ、外側縦アーチであって、これらの横アーチ、外側縦アーチの少なくとも一方を甲側に向かって押し出すものである。
【００１４】
また、間接押出し構造が、基材の足裏側のうち、第１中足骨の骨頭から第５中足骨の骨頭にかけて形成される甲側凸状の横アーチに対応した第１裏面域に設けられると共に、同横アーチを甲側に押動可能な第１構造部を有する場合は、横アーチを甲側に向かって押し出すことで、アーチ内組織を介し、内側縦アーチ及びそれを支える靭帯や筋肉にも押上げ力が作用し、土踏まずの形成が促進され、偏平足や浮き指の症状を改善することができる。
【００１５】
また、間接押出し構造が、基材の足裏側のうち、第５中足骨の骨頭から踵骨にかけて形成される甲側凸状の外側縦アーチに対応した第２裏面域に設けられると共に、同外側縦アーチを甲側に押動可能な第２構造部を有する場合は、外側縦アーチを甲側に向かって押し出すことで、アーチ内組織を介し、内側縦アーチ及びそれを支える靭帯や筋肉にも押上げ力が作用し、土踏まずの形成が促進され、偏平足や浮き指の症状を改善することができる。
【００１６】
また、間接押出し構造が、基材の足裏側のうち、第１中足骨の骨頭から第１末節骨にかけて形成される第３裏面域に設けられると共に、歩行時の親指への体重の移動を促すことが可能な第３構造部を有する場合には、歩行時に踵が地面（床）についた後、体重の足裏へのかかりが、第２裏面域から第１裏面域を通って、第３裏面域である足の親指の腹へ移動することを促すことができる。
【００１７】
また、第１構造部が、第１裏面域から基材外側へ突出する第１凸状部材を有する場合は、床や地面との間に介装した部材により、横アーチを甲側に向かって押し出すことができ、内側縦アーチ及びそれを支える靭帯や筋肉にも押上げ力が確実に作用し、土踏まずの形成が更に促進され、偏平足や浮き指の症状を短期間で改善することができる。
【００１８】
また、第２構造部が、第２裏面域から基材外側へ突出する第２凸状部材を有する場合は、床や地面との間に介装した部材により、外側縦アーチを甲側に向かって確実に押し出すことができ、内側縦アーチ及びそれを支える靭帯や筋肉にも押上げ力が確実に作用し、土踏まずの形成が更に促進され、偏平足や浮き指の症状を短期間で改善することができる。
【００１９】
また、第３構造部が、第３裏面域から基材外側へ突出する第３凸状部材を有する場合は、歩行時に踵が地面（床）についた後、体重の足裏へのかかりが、第２裏面域から第１裏面域を通って、第３裏面域である足の親指の腹へ移動することを促すことができる。
【００２０】
また、間接押出構造は、基材の足裏側のうち、第１中足骨の骨頭から第５中足骨の骨頭にかけて形成される甲側凸状の横アーチに対応した第１裏面域に設けられると共に、横アーチを甲側に押動可能な、第１裏面域から基材外側へ突出する第１凸状部材と、足裏側のうち、第５中足骨の骨頭から踵骨にかけて形成される甲側凸状の外側縦アーチに対応した第２裏面域に設けられると共に、外側縦アーチを甲側に押動可能な、第２裏面域から基材外側へ突出する第２凸状部材とを有する場合は、横アーチと外側縦アーチを一緒に甲側に向かって押し出すことで、横アーチまたは外側縦アーチのみを押し出すのに比べ、内側縦アーチ及びそれを支える靭帯や筋肉には更に大きな押上げ力が作用し、土踏まずの形成が著しく促進され、偏平足や浮き指の症状を一層改善することができる。
【００２１】
また、間接押出し構造が、基材の足裏側のうち、第１中足骨の骨頭から第１末節骨にかけて形成される第３裏面域に設けられると共に、親指への体重の移動を促すことが可能な、第３裏面域から基材外側へ突出する第３凸状部材を有する場合には、歩行時に踵が地面（床）についた後、体重の足裏へかかりが、第２裏面域から第１裏面域を通って、第３裏面域である足の親指の腹への移動することを促すことができる。
【００２２】
また、第１凸状部材、第２凸状部材及び第３凸状部材が、突出高さが異なる場合は、内側縦アーチの形状に応じて横アーチと外側縦アーチの押上げ量を調整することができ、土踏まずの形成を効率良く行い、偏平足や浮き指の症状を短時間で改善することができる。
【００２３】
また、第１凸状部材、第２凸状部材及び第３凸状部材が、単一部材から構成される場合は、第１凸状部材、第２凸状部材及び第３凸状部材がそれぞれ設けられた第１裏面域及び第２裏面域において、横アーチと外側縦アーチを甲側に向かって連動させながら押し出すことができ、アーチ内組織を介し、内側縦アーチ及びそれを支える靭帯や筋肉には均等な押上げ力が作用し、土踏まずの形成が精度良く行われ、偏平足や浮き指の症状を更に一層改善することができると共に、第３裏面域において歩行時に踵が地面（床）についた後、体重の足裏へのかかりが、第２裏面域から第１裏面域を通って、第３裏面域である足の親指の腹へ移動することを促すことができる。
【００２４】
また、第１凸状部材、第２凸状部材及び第３凸状部材の少なくとも一つが、複数の小片別部材から構成される場合は、第１裏面域や第２裏面域を局所的に押し上げ、内側縦アーチの形状に応じて横アーチと外側縦アーチの押上げ量の分布を調整することができ、土踏まずの形成が精度良く行われ、偏平足や浮き指の症状を更に一層改善することができると共に、歩行時などの足の裏の動きに沿って第１裏面域、第２裏面域及び第３裏面域の形状を容易に変化させることができる。
【００２５】
また、第１凸状部材、第２凸状部材及び第３凸状部材が連続して設けられた場合には、歩行時に踵が地面（床）についた後、体重の足裏へのかかりが、第２裏面域から第１裏面域を通って、第３裏面域である足の親指の腹へ移動することをより確実に促すことができる。
【００２６】
また、第１凸状部材、第２凸状部材及び第３凸状部材の少なくとも一部が、互いに離間して設けられた複数の凸状片からなる場合には、歩行時などの足の裏の動きに沿って基材の第１裏面域、第２裏面域及び第３裏面域の形状を容易に変化させることができる。
【００２７】
また、第１構造部が、第１裏面域に、第１中足骨と第５中足骨間を接近させる方向に付勢可能な第１付勢構造を有する場合は、横アーチを、そのアーチ両端から圧縮することができ、アーチ内組織を介し、内側縦アーチ及びそれを支える靭帯や筋肉にも押上げ力が作用し、土踏まずの形成が促進され、偏平足や浮き指の症状を改善することができる。
【００２８】
また、第２構造部が、第２裏面域に、第５中足骨と踵骨間を接近させる方向に付勢可能な第２付勢構造を有する場合は、外側縦アーチを、そのアーチ両端から圧縮することができ、アーチ内組織を介し、内側縦アーチ及びそれを支える靭帯や筋肉にも押上げ力が作用し、土踏まずの形成が促進され、偏平足や浮き指の症状を改善することができる。
【００２９】
また、第３構造部が、第３裏面域に、親指と第１裏面域を接近させる方向に付勢可能な第３付勢構造を有する場合には、足の裏で地面をつかむ力が増大するので、浮き指の症状を改善することができる。
【発明の効果】
【００３０】
本発明に係る靴下は、足のアーチ構造の所定のアーチ及びそれを支える靭帯等に押上げ力を作用させることにより土踏まずの形成を促進し、偏平足や浮き指の症状を確実に改善するものとなっている。
【図面の簡単な説明】
【００３１】
【図１】本発明の第１の実施例に係る靴下の使用状態を示す斜視図である。
【図２】同じく靴下の第１裏面域と第２裏面域を示す斜視図である。
【図３】同じく靴下着用時の足の骨格におけるアーチ構造を示す説明図である。
【図４】同じく靴下着用時の付勢状態を示す斜視図である。
【図５】本発明の別形態の実施例に係る靴下の使用状態を示す斜視図であって、図５（ａ）は第２の実施例に係る靴下の凸状部材の形状を示す斜視図、図５（ｂ）は第３の実施例に係る靴下の凸状部材の形状を示す斜視図である。
【図６】本発明の第４の実施例に係る靴下の使用状態を示す斜視図である。
【発明を実施するための形態】
【００３２】
以下、本発明の靴下について図１乃至図６を参照しながら説明し、本発明の理解に供する。
【００３３】
［第１の実施の形態］
まず、本発明の第１の実施の形態について、図１乃至図４を用いて説明する。
図１に示すように、本発明に係る靴下Ｓは、基材の一例である靴下本体１と、第１凸状部材の一例である横ゴムシート２、及び第２凸状部材の一例である縦ゴムシート３とからなる間接押出構造より構成される。
【００３４】
図１乃至図３に示すように、間接押出構造においては、足指を通す爪先側の指孔と足首を通す踵側の開口とを有する袋状の靴下本体１の裏面１０において、指孔の直後部分の左右幅方向に延びる位置であって、足の第１中足骨Ｂ１から第５中足骨Ｂ５にかけた部分に対応した位置を第１裏面域１１とし、この第１裏面域１１に横ゴムシート２が設けられている。更に、前述の裏面１０において、外側半部で指孔の直後部分から踵を覆う踵布まで延びる位置であって、足の第５中足骨から踵骨にかけた部分に対応した位置を第２裏面域１２とし、この第２裏面域１２に縦ゴムシート３が設けられている。これらの間接押出構造の構造部としての横ゴムシート２と縦ゴムシート３は、連続して形成されておらず、互いに離間して設けられている。
【００３５】
ここで、足の骨格を構成する骨の間は、靭帯や筋肉によって連結されており、歩く際の衝撃を吸収するなどの機能を有する、骨格のアーチ構造Ａ（足底弓蓋）が形成されている。このアーチ構造Ａは、親指の第１中足骨Ｂ１の骨頭を支点Ａ１とし、小指の第５中足骨Ｂ５の骨頭を支点Ａ２とし、踵付近を支点Ａ３とした３点支持構造であり、支点Ａ１と支点Ａ２の間には甲側に凸の円弧状の横アーチＡ４が橋架され、支点Ａ２と支点Ａ３の間にも同じく円弧状の外側縦アーチＡ５が橋架され、支点Ａ３と支点Ａ１の間にも同じく円弧状の内側縦アーチＡ６が橋架されている。そして、これらの横アーチＡ４、外側縦アーチＡ５、内側縦アーチＡ６は、前述したアーチ内組織を介し、互いに牽引可能に連結されている。
【００３６】
先述した横ゴムシート２は、支点Ａ１と支点Ａ２の間の第１裏面域１１に設けられていることから、足が地面や床に接地した際、横アーチＡ４を足裏から甲側に押し上げる機能を有する。縦ゴムシート３は、支点２と支点３の間の第２裏面域１２に設けられていることから、横ゴムシート２と同様、外側縦アーチＡ５を足裏から甲側に押し上げる機能を有する。
【００３７】
そして、このように横アーチＡ４や外側縦アーチＡ５が押し上げられると、アーチ内組織を介して内側縦アーチＡ６も一緒に押し上げられ、着用者が靴下Ｓを着用した状態で足裏を地面や床に接地している間（以下、「靴下使用中」とする）、押し上げられた状態で内側縦アーチＡ６の形状が維持される。この間、内側縦アーチＡ６を支える靭帯や筋肉に負荷がかかって鍛えられることで、靭帯や筋肉が強くかつ柔軟なものとなって、土踏まずの形成が促進され、偏平足や浮き指の症状が改善される。
【００３８】
なお、ゴムシートは、少なくとも第１裏面域１１または第２裏面域１２の一方にのみ設けてもよく、土踏まずの形成状況によっては、必ずしも第１裏面域１１と第２裏面域１２の双方に設ける必要はない。
【００３９】
［横アーチＡ４にゴムシート２が及ぼす作用の詳細］
横ゴムシート２を靴下本体１の第１裏面域１１に設けることで、靴下使用中は、地面や床からの反力により、第２中足骨Ｂ２、第３中足骨Ｂ３と第４中足骨Ｂ４が、足裏から甲側へ横ゴムシート２の厚み相当分持ち上げられる。このとき、第１中足骨Ｂ１と第５中足骨Ｂ５は、第１裏面域１１の端部に相当する部分に位置することから、横ゴムシート２による押上げ力が、第２中足骨Ｂ２〜第４中足骨Ｂ４ほどは作用しないため、わずかしか持ち上げられない。これにより、第１中足骨Ｂ１から第５中足骨Ｂ５にかけて、円弧状の横アーチＡ４が精度良く形成される。
【００４０】
［外側縦アーチＡ５にゴムシート３が及ぼす作用の詳細］
縦ゴムシート３を靴下本体１の第２裏面域１２に設けることで、靴下使用中は、地面や床からの反力により、第５中足骨Ｂ５の骨頭から踵骨Ｂ６にかけた部分が、足裏から甲側へ縦ゴムシート３の厚み相当分持ち上げられる。このとき、第５中足骨Ｂ５の骨頭と踵骨Ｂ６は、第２裏面域１２の端部に相当する部分に位置することから、縦ゴムシート３による押上げ力が、第５中足骨Ｂ５の踵骨Ｂ６側部分や立方骨（図示せず）等ほどは作用しないため、わずかしか持ち上げられない。これにより、第５中足骨Ｂ５の骨頭から踵骨Ｂ６にかけて、円弧状の外側縦アーチＡ５が精度良く形成される。
【００４１】
［内側縦アーチＡ６に横アーチＡ４と外側縦アーチＡ５が及ぼす作用の詳細］
図３に示すように、前述した横アーチＡ４が足裏から甲側に向かって押し上げられることで、支点Ａ１と支点Ａ２には、互いに接近する左右内方向に、それぞれ力Ｆ１ａ、Ｆ１ｂが発生し、これに伴う横アーチＡ４の変形により、アーチ内組織を介して、内側縦アーチＡ６及びそれを支える靭帯や筋肉にも押上げ力が作用する。
【００４２】
すると、この押上げ力により、内側縦アーチＡ６の長手方向略中央部が上方に最も膨らむことから、円弧状の内側縦アーチＡ６が形成される。これに伴い、前述した横アーチＡ４、外側縦アーチＡ５と同様、この内側縦アーチＡ６の形状を維持しようと、第１中足骨Ｂ１の骨頭から踵骨Ｂ６にかけた部分の周囲の靭帯や筋肉が機能し始め、強くかつ柔軟に鍛えられる。
【００４３】
また、外側縦アーチＡ５についても同様であって、外側縦アーチＡ５が足裏から甲側に向かって押し上げられることで、支点Ａ２と支点Ａ３には、互いに接近する前後内方向に、それぞれ力Ｆ２ａ、Ｆ２ｂが発生し、これに伴う外側縦アーチＡ５の変形により、アーチ内組織を介して、内側縦アーチＡ６及びそれを支える靭帯や筋肉にも押上げ力が作用する。すると、この押上げ力により、前述の横アーチＡ４の場合と同様、内側縦アーチＡ６の形状を維持しようと、第１中足骨Ｂ１の骨頭から踵骨Ｂ６にかけた部分の周囲の靭帯や筋肉が機能し始め、強くかつ柔軟に鍛えられる。
【００４４】
［靴下使用中の効果］
以上のようにして、靴下Ｓを着用するだけで、靴下使用中は、横アーチＡ４は横ゴムシート２により甲側に向かって押し上げられる状態が維持され、また外側縦アーチＡ５も縦ゴムシート３により甲側に向かって押し上げられる状態が維持される。
【００４５】
これにより、靴下Ｓを着用した状態で足裏を地面や床に接地させるだけで、横アーチＡ４と外側縦アーチＡ５に押上げ力を作用させ、アーチ内組織を介して、内側縦アーチＡ６及びそれを支える靭帯や筋肉にも押上げ力を作用させることができ、これら周囲の靭帯や筋肉が機能し始めて強くかつ柔軟に鍛えられ、その結果、土踏まずの形成が促進され、偏平足や浮き指の症状を改善することができる。
【００４６】
また、人によって足の構造は異なっており、またアーチ構造の形成の具合もさまざまであることから、例えば、横ゴムシート２と縦ゴムシート３を異なる厚みとすることで、足の構造や各アーチの形成具合に適合した靴下Ｓとすることができる。なお、横ゴムシート２、縦ゴムシート３の厚みについては、ゴムシートごとに厚みの異なるものを複数準備したり、同一ゴムシート内で場所によって厚みの異なるようにしてもよく、これにより、足の構造や各アーチの形成具合に一層適合した靴下Ｓとすることができる。
【００４７】
具体的には、内側縦アーチＡ６の形状に応じて横アーチＡ４と外側縦アーチＡ５の押し上げ量を調整することで、土踏まずの形成を効率よく行い、偏平足や浮き指の症状を短時間で改善することができる。
【００４８】
また、アーチ構造Ａの形成が進むにつれて、横ゴムシート２や縦ゴムシート３は不要となるので、例えば、横ゴムシート２や縦ゴムシート３を着脱自在にすることで、アーチ構造の形成具合に応じた靴下Ｓとすることができる。
【００４９】
具体的には、アーチ構造Ａの形成の進み具合に応じ、適切な厚みを有する横ゴムシート２若しくは縦ゴムシート３を準備して交換可能にすることで、靴下Ｓを着用による違和感のないものにすることができる。
【００５０】
また、前述した、支点Ａ１、支点Ａ２間を接近させる方向の力Ｆ１ａ、Ｆ１ｂと、支点Ａ２、支点Ａ３間を接近させる方向の力Ｆ２ａ、Ｆ２ｂを設けるように、左右内方向または前後内方向に付勢可能な付勢構造の一例である網目構造（図示せず）を備えた靴下とすることも考えられる。
【００５１】
この網目構造によっても、靴下使用中は横アーチＡ４、外側縦アーチＡ５の双方をアーチ両端から圧縮され、いずれのアーチＡ４、Ａ５も甲側に向かって押し上げられる状態が維持される。これにより、アーチ内組織を介して、内側縦アーチＡ６及びそれを支える靭帯や筋肉にも押し上げ力を作用させることができるので、土踏まずの形成が促進され、偏平足や浮き指の症状を改善することができる。
【００５２】
［第２の実施の形態］
本発明の第２の実施の形態について、図５（ａ）を用いて説明する。なお、第１の実施の形態と相違ない点については説明を省略すると共に、同一の符号を付す。
【００５３】
図５（ａ）に示すように、本発明に係る靴下Ｓ１は、基材の一例である靴下本体１と、第１凸状部材である横ゴムシート２と第２凸状部材である縦ゴムシート３が連結した一体型ゴムシート４とから成る。
【００５４】
この一体型ゴムシート４は、足裏側を覆う靴下本体１の裏面１０において、第１裏面域１１から第２裏面域１２にかけて連続して設けられているので、歩行に伴う体重の移動は、踵から第２裏面域１２及び第１裏面域１１の順に移動するように誘導される。このように、歩行時の、踵から第２裏面域１２及び第１裏面域１１に移動するという正常な体重の移動を促すことができるので、偏平足や浮き指の症状が改善される。
【００５５】
更に、一体型ゴムシート４は、その前部が第１裏面域１１に位置することから、横アーチＡ４を甲側へ押し上げると共に、その後部が第２裏面域１２に位置することから外側縦アーチＡ５を甲側へ押し上げる機能を有する。
【００５６】
このように横アーチＡ４と外側縦アーチＡ５が一体となって押し上げられると、アーチ内組織を介して内側縦アーチＡ６も押し上げられ、靴下使用中は、押し上げられた状態で内側縦アーチＡ６の形状が維持される。このように、内側縦アーチＡ６を支える靭帯や筋肉にも反力による負荷がかかって鍛えられることで、靭帯や筋肉が強くかつ柔軟なものとなって、土踏まずの形成が促進され、偏平足や浮き指の症状が改善される。
【００５７】
［第３の実施の形態］
本発明の第３の実施の形態について、図５（ｂ）を用いて説明する。なお、第１の実施の形態と相違ない点については説明を省略すると共に、同一の符号を付す。
【００５８】
図５（ｂ）に示すように、本発明に係る靴下Ｓ２は、基材の一例である靴下本体１と、第１凸状部材と第２凸状部材が５つの小片別部材５０ａ〜小片別部材５０ｅから形成された、不連続ゴムシート５とから成る。
【００５９】
不連続ゴムシート５は、前述の第１裏面域１１と第２裏面域１２にかけて、５つの小片別部材５０ａ乃至５０ｅが列状に配置されている。
【００６０】
不連続ゴムシート５のうち、小片別部材５０ａが第１裏面域１１に位置することから、横アーチＡ４を甲側へ押し上げると共に、小片別部材５０ｂ〜小片別部材５０ｅが第２裏面域１２に位置することから、外側縦アーチＡ５を甲側へ押し上げる機能を有する。
【００６１】
そして、横アーチＡ４と外側縦アーチＡ５は、小片別部材５０ａ〜小片別部材５０ｅにより局所的に押し上げられるため、内側縦アーチＡ６の形状に応じて、横アーチＡ４と外側縦アーチＡ５の押し上げ量の分布を調整することができ、土踏まずの形成が精度よく行われ、偏平足や浮き指の症状を更に一層改善することができる。
【００６２】
更に、小片別部材５０は互いに離間して設けられていることから、小片別部材５０が横アーチＡ４と外側縦アーチＡ５を局所的に押圧するので、横アーチＡ４と外側縦アーチＡ５を押上げ力を若干弱めることができ、着用時に横アーチＡ４と外側縦アーチＡ５が押し上げられることにより生じる痛みなどを適度に緩和することができる。
【００６３】
また、小片別部材５０は互いに離間して列状に設けられているので、歩行に伴う体重の移動は、踵から第２裏面域１２及び第１裏面域１１の順に移動するように誘導される。このように、歩行時の、踵から第２裏面域１２及び第１裏面域１１に移動するという正常な体重の移動を促すことができるので、偏平足や浮き指の症状が改善される。
【００６４】
このように、横アーチＡ４と外側縦アーチＡ５が局所的に押し上げられると、アーチ内組織を介して内側縦アーチＡ６も押し上げられ、靴下使用中は、押し上げられた状態で内側縦アーチＡ６の形状が維持される。このように、内側縦アーチＡ６を支える靭帯や筋肉に負荷がかかって鍛えられることで、靭帯や筋肉が強くかつ柔軟なものとなって、土踏まずの形成が促進され、偏平足や浮き指の症状が改善される。
【００６５】
［第４の実施の形態］
本発明の第４の実施の形態について、図２、図３及び図６を用いて説明する。なお、第１の実施の形態と相違ない点については説明を省略すると共に、同一の符号を付す。
【００６６】
図６に示すように、本発明に係る靴下Ｓ３は、基材の一例である靴下本体１と、第１裏面域１１に設けられた、第１凸状部材である第１凸状片群６と、第２裏面域１２に設けられた、第２凸状部材である第２凸状片群７、第３裏面域１３に設けられた、第３凸状部材である第３凸状片８から成る。
【００６７】
第１凸状片群６は、長さが異なる、複数の帯状の各小片部材６０から成り、各小片部材６０は、足裏の長手方向に対して傾斜して、かつ互いに離間して平行に配置されている。
【００６８】
第２凸状片群７は、踵周辺に面状に広がって形成された凸状片７０と、土踏まず周辺に帯状に形成された複数の小片部材７１と、第２裏面域内の第１裏面域近傍に面状に広がって形成された凸状片７２とから成る。
【００６９】
図２及び図３に示すように、靴下本体１の裏面１０において、第１裏面域１１の近傍から親指の付け根を通って親指の腹まで延びる位置であって、第１中足骨の骨頭から第１末節骨Ｂ７にかけた部分に対応した位置を第３裏面域１３とし、この第３裏面域１に第３凸状片８が面状に広がって設けられている。
【００７０】
第１凸状片群６、第２凸状片群７、第３凸状片８は連続して設けられているので、歩行に伴う体重の移動は、踵から第２裏面域１２及び第１裏面域１１を通って、第３裏面域１３の順に移動するように誘導される。このように、歩行時の、踵から第２裏面域及び第１裏面域を通って第３裏面域に移動するという正常な体重の移動を促すことができるので、偏平足や浮き指の症状が改善される。
【００７１】
また、直立した状態においては、裏面１０のうち、第１凸状片群６、第２凸状片群７、第３凸状片８が設けられていない領域よりも、第１凸状片群６、第２凸状片群７、第３凸状片８が設けられた領域、即ち、第１裏面域１１、第２裏面域１２及び第３裏面域１３に体重がかかりやすくなる。これにより、足の裏全体を使って身体を支えることが可能となり、浮き指の症状を改善することができる。
【００７２】
なお、実施例１乃至実施例３で説明した、横ゴムシート２、縦ゴムシート３、一体型ゴムシート４、不連続ゴムシート５は、必ずしも靴下本体１に貼着したりして用いることに限られるものではない。例えば、靴下本体１に、上記各ゴムシートが設けられたカバー（図示せず）を別体として準備し、このカバーを靴下本体１に重ねて着用すれば、実施例１乃至実施例３で説明した効果と同様の効果が得られる。
【００７３】
このように、本願発明は、足のアーチ構造の所定のアーチ及びそれを支える靭帯等に押上げ力を作用させることにより土踏まずの形成を促進し、偏平足や浮き指の症状を確実に改善する靴下となっている。
【符号の説明】
【００７４】
１      靴下本体（基材）
２      横ゴムシート（第１凸状部材）
３      縦ゴムシート（第２凸状部材）
１０    裏面（基材の足裏側）
１１    第１裏面域
１２    第２裏面域
１３    第３裏面域
５０ａ、５０ｂ、５０ｃ、５０ｄ、５０ｅ    小片別部材
Ａ      アーチ構造
Ａ４    横アーチ
Ａ５    外側縦アーチ
Ａ６    内側縦アーチ
Ｂ１    第１中足骨
Ｂ５    第５中足骨
Ｂ６    踵骨
Ｓ、Ｓ１、Ｓ２、Ｓ３      靴下
【図１】
2018040103.tif 000003
【図２】
2018040103.tif 000004
【図３】
2018040103.tif 000005
【図４】
2018040103.tif 000006
【図５】
2018040103.tif 000007
【図６】
2018040103.tif 000008